(57)【要約】【課題】グリル又はシャッターのような上流側へ配置する部材とオリフィスとの距離を確保して、風の流れを整流し、換気風量を確保する換気装置を提供する。【解決手段】枠体表面３に近接するグリル１を有し、オリフィス４の上流に遠心ファン５の径より大きい導入開口８を持った整流部９を備えることにより、室内側へ厚みを増すことなく、オリフィス４とその上流側の障害物までの距離を確保する構造を設け、整流を行い効率の良くする換気装置を提供できる。【選択図】図１
2008209092.tif 000002
【特許請求の範囲】
【請求項１】
屋内壁と屋外壁により形成される壁部に設けられる換気装置取付穴に挿入され屋内側と屋外側とを連通するパイプと前記パイプ内に固定される電動機と電動機により回転する遠心ファンとオリフィスと前記電動機を固定する枠体と枠体表面に近接するグリルを有し、オリフィスの上流にオリフィスより大きい導入開口を持った整流部を備えることを特徴とした換気装置。
【請求項２】
導入開口がオリフィス形状と相似形状であることを特徴とする請求項１記載の換気装置。
【請求項３】
枠体表面とオリフィスの間に段差を形成する導入開口を設けたことを特徴とする請求項１および２に記載の換気装置。
【請求項４】
枠体表面に対してオリフィスが奥に位置する構成とした請求項１〜３のいずれかに記載の換気装置。
【請求項５】
枠体表面とオリフィスの間をＲ形状で構成されることを特徴とする請求項１および２に記載の換気装置。
【請求項６】
枠体表面とオリフィスの間にテーパー形状を形成されることを特徴とする請求項１および２に記載の換気装置。
【請求項７】
導入開口の上流側にシャッターを設けることを特徴とする１〜６のいずれかに記載の換気装置。
【発明の詳細な説明】
【技術分野】
【０００１】
本発明は室内と室外を連通させるパイプを壁部に設けた換気扇取付孔に嵌挿して取り付ける換気装置に関する。
【背景技術】
【０００２】
近年、建物の密閉度が高くなってきているのに伴い、常時換気用として壁部にパイプを埋込み施工する施工性の良い換気装置が普及してきている。
【０００３】
従来、この種の換気装置の一例として図７に示されるものが知られていた。以下、その構成について図を参照しながら説明する。
【０００４】
図に示すように、換気装置は、屋内壁と屋外壁により形成される壁部１０１に設けられる換気装置取付孔１０２に嵌挿され屋内側と屋外側とを連通するパイプ１０３と、このパイプ１０３内に装着されるファンモータ１０４を有した換気装置本体１０５とを備え、前記パイプ１０３に前記換気装置本体１０５を同心状に一体化した状態で前記換気装置取付孔１０２に前記パイプ１０３を嵌挿し取り付ける構成としたものである。
【０００５】
そして、換気装置本体１０５の屋内側となる前方には換気装置本体１０５を取付ねじ１０６で壁部１０１に固定するフレーム１０７を設け、フレーム１０７の前方にはグリル１０８が着脱自在に嵌合されていた。
【０００６】
そして、壁部１０１の屋外側には雨水の侵入を防止するフード１０９を取り付け構成していた（例えば、特許文献１参照）。
【特許文献１】特開２０００−２７４７６０号公報
【発明の開示】
【発明が解決しようとする課題】
【０００７】
このような従来の換気装置では、ファンモータの吸い込み口に配置したオリフィスとグリル又はシャッターのような上流側に配置する部材までの距離が小さいことで、風の流れが乱れ、風量が確保することが困難であるという課題があった。
【０００８】
本発明は、このような従来の課題を解決するものであり、室内側へ装置本体の厚みを大きくせず、オリフィスとその上流側の部材までの風路空間（距離）を確保する構造を設け、整流を確実に行い、効率の良い換気装置を提供することを目的とする。
【課題を解決するための手段】
【０００９】
本発明の換気装置は、上記目的を達成するために、屋内壁と屋外壁により形成される壁部に設けられる換気装置取付穴に挿入され屋内側と屋外側とを連通するパイプと前記パイプ内に固定される電動機と電動機により回転する遠心ファンとオリフィスと前記電動機を固定する枠体と枠体表面に近接するグリルを有し、オリフィスの上流にオリフィスより大きい導入開口を持った整流部を備えることを特徴としたものである。
【００１０】
また、他の手段は、導入開口がオリフィス形状と相似形状であることを特徴とするものである。
【００１１】
また、他の手段は、枠体表面とオリフィスの間に段差を形成する導入開口を設けたものである。
【００１２】
また、他の手段は、枠体表面に対してオリフィスが奥に位置する構成としたものである。
【００１３】
また、他の手段は、枠体表面とオリフィスの間をＲ形状で構成されることを特徴とするものである。
【００１４】
また、他の手段は、枠体表面とオリフィスの間にテーパー形状を形成する導入開口を設けたものである。
【００１５】
また、他の手段は、前記導入開口の上流側にシャッターを設けることを特徴としたものである。
【発明の効果】
【００１６】
本発明によれば、屋内壁と屋外壁により形成される壁部に設けられる換気装置取付穴に挿入され屋内側と屋外側とを連通するパイプと前記パイプ内に固定される電動機と電動機により回転する遠心ファンとオリフィスと前記電動機を固定する枠体と枠体表面に近接するグリルを有し、オリフィスの上流にオリフィスより大きい導入開口を持った整流部を備えることを特徴としたことにより、導入される空気を確実に整流し、ファンの回転数は減少し、騒音を減少させ、消費電力低減させることができるという効果のある換気装置を提供できる。
【００１７】
また、導入開口がオリフィス形状と相似形状であることを特徴とすることにより、導入される風の流れが均等となり、ファンの回転数は減少し、騒音を減少させ、消費電力低減させるという効果のある換気装置を提供できる。
【００１８】
また、枠体表面とオリフィスの間に段差を形成する導入開口を設けたことにより、室内側に装置本体の厚みを大きくせずに、導入される空気が整流されファンの回転数は減少し、騒音を減少させ、消費電力低減させた換気装置を提供できる。
【００１９】
また、枠体表面に対してオリフィスが奥に位置する構成とすることにより、室内側に装置本体の厚みを大きくせずに、導入される空気が整流されファンの回転数は減少し、騒音を減少させ、消費電力低減させた換気装置を提供できる。
【００２０】
また、枠体表面とオリフィスの間をＲ形状で構成されることを特徴とすることにより、導入される空気がより整流されファンの回転数は減少し、騒音を減少させ、消費電力低減させるという効果のある換気装置を提供できる。
【００２１】
また、枠体表面とオリフィスの間にテーパー形状を形成する導入開口を設けたことにより、導入される空気が整流されファンの回転数は減少し、騒音を減少させ、消費電力低減させるという効果のある換気装置を提供できる。
【００２２】
また、導入開口の上流側にシャッターを設けることを特徴としたことにより、導入開口の上流のシャッターを通過した空気は、導入開口を通り、整流されてオリフィスから流入されるという作用を有する。ファンの回転数は減少し、騒音を減少させ、消費電力低減させるという効果のある換気装置を提供できる。
【発明を実施するための最良の形態】
【００２３】
本発明の請求項１記載の換気装置は、屋内壁と屋外壁により形成される壁部に設けられる換気装置取付穴に挿入され屋内側と屋外側とを連通するパイプと前記パイプ内に固定される電動機と電動機により回転する遠心ファンとオリフィスと前記電動機を固定する枠体と枠体表面に近接するグリルを有し、オリフィスの上流にオリフィスより大きい導入開口を持った整流部を備えることを特徴としたものであり、グリルとオリフィスの間の羽根径より大きい導入開口を持った整流部を通り空気が導入されてオリフィスから流入する気流は整流されるという作用を有する。
【００２４】
また、導入開口がオリフィス形状と相似形状であることを特徴とするとしたものであり、オリフィス形状と相似形状である導入開口を通り、オリフィスから流入する空気は整流されるという作用を有する。
【００２５】
また、枠体表面とオリフィスの間に段差を形成する導入開口を設けたものであり、枠体表面とオリフィスの間に設けた導入開口の段差を通り、オリフィスから流入する空気は整流されるという作用を有する。
【００２６】
また、他の手段は、枠体表面に対してオリフィスが奥に位置する構成としたものであり、枠体表面からオリフィスの間に形成される空間を通り、オリフィスから流入する空気は整流されるという作用を有する。
【００２７】
また、枠体表面とオリフィスの間をＲ形状で構成されることを特徴とするものであり、枠体表面とオリフィスの間に設け導入開口のＲ形状により乱流の発生を防止して、オリフィスから流入する空気は整流されることとなる。
という作用を有する。
【００２８】
また、枠体表面とオリフィスの間にテーパー形状を形成する導入開口を設けたものであり、テーパー形状の導入開口を通り、オリフィスから流入する空気は整流されるという作用を有する。
【００２９】
また、前記導入開口の上流側にシャッターを設けることを特徴としたものであり、導入開口の上流のシャッターを通過した空気は、導入開口を通り、整流されてオリフィスから流入されるという作用を有する。また、シャッターを閉じることで外風の侵入を防止するという作用を有する。
【００３０】
以下、本発明の実施の形態について、図面を参照しながら説明する。
【００３１】
（実施の形態１）
図１および図２に示すように、換気装置１１は、表面に近接して設けたグリル１を有する箱型の枠体２とこの枠体２の外側正面を枠体表面３としその中央にオリフィス４を設け、このオリフィス４を吸込み口として、前記枠体２の内側方向へ遠心ファン５を有する電動機６を設け、この電動機６の外周部に位置させて屋内壁１２と屋害壁１３を連通させるパイプ７を接続する構成とする。
【００３２】
前記枠体表面３は、オリフィス４の上流にオリフィス４より大きい導入開口８を持ち整流部９形成し、この導入開口８の内側に前記オリフィス４を位置させて前記グリル１と前記オリフィス４との間に風路空間を確保したものである。
【００３３】
上記構成により、換気装置を運転させるとグリル１とオリフィス４の間の羽根径より大きい導入開口８を持った整流部９を通り空気が導入されてグリル１を通過するときに乱れた気流を整流部９で整流することが可能となり、オリフィスから流入する気流は、整流されることとなる。
【００３４】
このように本発明の実施の形態１の換気装置によれば、導入される空気が整流されファンの回転数は減少し、騒音を減少させ、消費電力低減させることとなる。
【００３５】
（実施の形態２）
図３および図４に示すように、実施の形態１の換気装置において、導入開口８がオリフィス４の形状と相似形状であることを特徴とする。
【００３６】
上記構成により、オリフィス形状と相似形状である導入開口を通ることでグリル１を通った気流は、導入開口から均一に流れ込み整流部９で整流され、オリフィス４から流入する空気は整流されることとなる。
【００３７】
このように本発明の実施の形態２の換気装置によれば、導入される空気が整流されファンの回転数は減少し、騒音を減少させ、消費電力低減させることとなる。
【００３８】
（実施の形態３）
図１および図２に示すように、実施の形態１および２の換気装置において、枠体表面３とオリフィス４の間に枠体表面３より箱体の内側へ凹ませて段差を形成する導入開口８を設ける構成とする。
【００３９】
上記構成により、グリル１を通って、枠体表面３の導入開口８から流入した空気は、枠体表面３から流れこみ整流部９で整流され、枠体表面３から奥へ流れ込むこととなり、オリフィス４から流入する空気は整流されることとなる。
【００４０】
このように本発明の実施の形態３の換気装置によれば、枠体表面より凹ませて段差を形成する導入開口８を設けることで、室内側へ装置本体の厚みを大きくしなくても、導入される空気が整流されファンの回転数は減少し、騒音を減少させ、消費電力低減させることとなる。
【００４１】
なお、上記構成により枠体表面３とオリフィス４の間に段差を形成する導入開口８を設けることにより、オリフィス４は枠体表面３より奥へ位置させることになり、枠体表面からオリフィスの間に空間が形成されることは言うまでもない。そして、枠体表面からオリフィスの間に形成される空間を通り、オリフィスから流入する空気は整流されることとなる。
【００４２】
（実施の形態４）
図３および図４に示すように、実施の形態１および２のいずれかの換気装置において、枠体表面３とオリフィス４の間をＲ形状で構成されることを特徴とする。
【００４３】
上記構成により、枠体表面３とオリフィス４の間に設け導入開口８のＲ形状９ａによりこの導入開口８からオリフィス４の間で発生する空気の渦を抑制し、オリフィス４から流入する空気は整流されることとなる。このように本発明の実施の形態４の換気装置によれば、導入される空気が整流されファンの回転数は減少し、騒音を減少させ、消費電力低減させることとなる。
【００４４】
（実施の形態５）
図５および図６に示すように、実施の形態１から２のいずれかの換気装置において、枠体表面３とオリフィス４の間にテーパー形状９ｂを形成する導入開口８を設け構成する。
【００４５】
上記構成により、テーパー形状９ｂの導入開口を通り、導入開口８からオリフィス４の間で発生する空気の渦を抑制しオリフィス４から流入する空気は整流されることとなる。
【００４６】
このように本発明の実施の形態６の換気装置によれば、導入される空気が整流されファンの回転数は減少し、騒音を減少させ、消費電力低減させることとなる。
【００４７】
（実施の形態７）
図５および図６に示すように、実施の形態１から５のいずれかの換気装置においてグリル１の内側であって、前記導入開口の上流側にシャッター１０を設ける構成とする。
【００４８】
上記構成により、導入開口の上流のシャッター１０を通過するときに乱れた空気は、導入開口８を通り、シャッター設けていない実施の形態と同様に整流部９で整流されてオリフィス４から流入されることとなる。また、シャッター１０を閉じることで外風の侵入を防止することとなる。
【００４９】
このように本発明の実施の形態７の換気装置によれば、導入される空気が整流されファンの回転数は減少し、騒音を減少させ、消費電力低減させることとなる。
【産業上の利用可能性】
【００５０】
遠心ファンとオリフィスを用い、オリフィス上流に部材が取り付く送風装置に適用できる。
【図面の簡単な説明】
【００５１】
【図１】本発明の実施の形態１および３の換気装置の構成を示す図
【図２】本発明の実施の形態１および３の換気装置の断面を示す図
【図３】本発明の実施の形態２および４の換気装置の構成を示す図
【図４】本発明の実施の形態２および４の換気装置の断面を示す図
【図５】本発明の実施の形態５および６の換気装置の構成を示す図
【図６】本発明の実施の形態５および６の換気装置の断面を示す図
【図７】従来の換気装置の構成を示す図
【符号の説明】
【００５２】
１    グリル
２    枠体
３    枠体表面
４    オリフィス
５    遠心ファン
６    電動機
７    パイプ
８    導入開口
９    整流部
９ａ  Ｒ形状
９ｂ  テーパー形状
１０  シャッター
１１  換気装置
【図１】
2008209092.tif 000003
【図２】
2008209092.tif 000004
【図３】
2008209092.tif 000005
【図４】
2008209092.tif 000006
【図５】
2008209092.tif 000007
【図６】
2008209092.tif 000008
【図７】
2008209092.tif 000009